(57)【要約】  本発明は、輻輳が生じる可能性を低減するとともに、MBMS  broadcast  serviceのセッション開始時に適切な無線資源管理を行うことを目的とし、3GPPで標準化されているマルチメディアブロードキャストマルチキャストサービスにおける選択サービスの通知システムであって、興味があるMBMS  Selected  Services情報が利用可能である場合に、そのMBMS  Selected  Services情報を通知する移動機と、前記移動機よりMBMS  Selected  Services情報を受信するとこれを記憶し、該当するMBMS  Serviceの無線資源管理に用いる無線網制御装置とを有する。
2008088024.tif 000002
【特許請求の範囲】
【請求項１】
3GPPで標準化されているマルチメディアブロードキャストマルチキャストサービスにおける選択サービスの通知システムであって、
興味があるMBMS  Selected  Services情報が利用可能である場合に、そのMBMS  Selected  Services情報を通知する移動機と、
前記移動機よりMBMS  Selected  Services情報を受信するとこれを記憶し、該当するMBMS  Serviceの無線資源管理に用いる無線網制御装置とを有するマルチメディアブロードキャストマルチキャストサービスにおける選択サービスの通知システム。
【請求項２】
請求項１記載のマルチメディアブロードキャストマルチキャストサービスにおける選択サービスの通知システムにおいて、
移動機は、MBMS  Selected  Services情報が利用可能であるかの確認を電源投入時に行うマルチメディアブロードキャストマルチキャストサービスにおける選択サービスの通知システム。
【請求項３】
3GPPで標準化されているマルチメディアブロードキャストマルチキャストサービスにおける選択サービスの通知システムであって、
選択するMBMSサービスの変更を行った後、そのMBMS  Selected  Services情報を通知する移動機と、
前記移動機よりMBMS  Selected  Services情報を受信するとこれを記憶し、該当するMBMS  Serviceの無線資源管理に用いる無線網制御装置とを有するマルチメディアブロードキャストマルチキャストサービスにおける選択サービスの通知システム。
【請求項４】
3GPPで標準化されているマルチメディアブロードキャストマルチキャストサービスにおける選択サービスの通知システムであって、
MBMSを設定するための報知情報を通知する無線網制御装置と、
前記報知情報を受信すると興味があるMBMS  Selected  Services情報が利用可能である場合に、そのMBMS  Selected  Services情報を通知する移動機と、を有し、
前記無線網制御装置は、前記移動機よりMBMS  Selected  Services情報を受信するとこれを記憶し、該当するMBMS  Serviceの無線資源管理に用いるマルチメディアブロードキャストマルチキャストサービスにおける選択サービスの通知システム。
【請求項５】
3GPPで標準化されているマルチメディアブロードキャストマルチキャストサービスにおける選択サービスの通知システムであって、
RRC  DCCHメッセージ、RRC  CCCHメッセージまたはHandover  To  UTRAN  Commandメッセージを用いて、MBMSをサポートしている旨を通知する無線網制御装置と、
前記RRC  DCCHメッセージ、RRC  CCCHメッセージまたはHandover  To  UTRAN  Commandを受信するとMBMS  Selected  Services情報が利用可能である場合に、そのMBMS  Selected  Services情報を通知する移動機とを有するマルチメディアブロードキャストマルチキャストサービスにおける選択サービスの通知システム。
【請求項６】
3GPPで標準化されているマルチメディアブロードキャストマルチキャストサービスにおける選択サービスの通知システムであって、
RRC  DCCHメッセージ、RRC  CCCHメッセージまたはHandover  To  UTRAN  Commandメッセージを用いて、MBMSをサポートしている旨を通知する無線網制御装置と、
前記RRC  DCCHメッセージ、RRC  CCCHメッセージまたはHandover  To  UTRAN  Commandを受信するとMBMS  Selected  Services情報が利用可能である場合に、そのMBMS  Selected  Services情報を通知する移動機と、を有し、
前記無線網制御装置は、前記移動機よりMBMS  Selected  Services情報を受信するとこれを記憶し、該当するMBMS  Serviceの無線資源管理に用いるマルチメディアブロードキャストマルチキャストサービスにおける選択サービスの通知システム。
【請求項７】
3GPPで標準化されているマルチメディアブロードキャストマルチキャストサービスにおける選択サービスの通知システムであって、
RAT変更要求（例えば3GPP  で定められているinter  RAT  handover  to  UTRAN,  handover  from  GERAN  Iu  mode等）に基づく手続きが成功した後に、興味があるMBMS  Selected  Services情報が利用可能である場合に、そのMBMS  Selected  Services情報を通知する移動機を有するマルチメディアブロードキャストマルチキャストサービスにおける選択サービスの通知システム。
【請求項８】
3GPPで標準化されているマルチメディアブロードキャストマルチキャストサービスにおける選択サービスの通知システムであって、
RAT変更要求（例えば3GPP  で定められているinter  RAT  handover  to  UTRAN,  handover  from  GERAN  Iu  mode等）に基づく手続きが成功した後に、興味があるMBMS  Selected  Services情報が利用可能である場合に、そのMBMS  Selected  Services情報を通知する移動機と、
前記移動機よりMBMS  Selected  Services情報を受信するとこれを記憶し、該当するMBMS  Serviceの無線資源管理に用いる無線網制御装置とを有するマルチメディアブロードキャストマルチキャストサービスにおける選択サービスの通知システム。
【請求項９】
3GPPで標準化されているマルチメディアブロードキャストマルチキャストサービスにおける選択サービスの通知方法であって、
移動機は、MBMS  Selected  Services情報が利用可能である場合に、そのMBMS  Selected  Services情報を通知し、
無線網制御装置は、前記移動機よりMBMS  Selected  Services情報を受信するとこれを記憶し、該当するMBMS  Serviceの無線資源管理に用いるマルチメディアブロードキャストマルチキャストサービスにおける選択サービスの通知方法。
【請求項１０】
3GPPで標準化されているマルチメディアブロードキャストマルチキャストサービスにおける選択サービスの通知方法であって、
移動機は、MBMS  Selected  Services情報が利用可能である場合に、そのMBMS  Selected  Services情報を無線網制御装置からのMBMS  ServiceのSession情報通知を待つことなく通知するマルチメディアブロードキャストマルチキャストサービスにおける選択サービスの通知システム。
【請求項１１】
3GPPで標準化されているマルチメディアブロードキャストマルチキャストサービスにおける選択サービスの通知方法であって、
移動機は、MBMS  Selected  Services情報が利用可能である場合に、そのMBMS  Selected  Services情報を無線網制御装置からのMBMS  ServiceのSession情報通知を待つことなく通知するマルチメディアブロードキャストマルチキャストサービスにおける選択サービスを通知し、
無線網制御装置は、前記移動機よりMBMS  Selected  Services情報を受信するとこれを記憶し、該当するMBMS  Serviceの無線資源管理に用いるマルチメディアブロードキャストマルチキャストサービスにおける選択サービスの通知システム。
【請求項１２】
3GPPで標準化されているマルチメディアブロードキャストマルチキャストサービスにおける選択サービスの通知方法であって、
移動機は、MBMS  Selected  Services情報が利用可能である場合に、そのMBMS  Selected  Services情報を無線網制御装置からのMBMS  ServiceのSession情報通知を待つことなく通知するマルチメディアブロードキャストマルチキャストサービスにおける選択サービスの通知方法。
【請求項１３】
3GPPで標準化されているマルチメディアブロードキャストマルチキャストサービスにおける選択サービスの通知方法であって、
移動機は、MBMS  Selected  Services情報が利用可能である場合に、そのMBMS  Selected  Services情報を無線網制御装置からのMBMS  ServiceのSession情報通知を待つことなく通知するマルチメディアブロードキャストマルチキャストサービスにおける選択サービスを通知し、
無線網制御装置は、前記移動機よりMBMS  Selected  Services情報を受信するとこれを記憶し、該当するMBMS  Serviceの無線資源管理に用いるマルチメディアブロードキャストマルチキャストサービスにおける選択サービスの通知方法。
【発明の詳細な説明】
【技術分野】
【０００１】
本発明は、3GPPで標準化されているマルチメディアブロードキャストマルチキャストサービス（MBMS：Multimedia  Broadcast  Multicast  Service）に関し、特に、選択サービスの通知システムおよび方法に関する。
【背景技術】
【０００２】
非特許文献１（3GPP技術仕様書  TS25.331  version  6.12.0  Radio  Resource  Control  (RRC):  Protocol  specification）や非特許文献２（3GPP技術仕様書  TS25.346  version  6.9.1  Introduction  of  the  Multimedia  Broadcast/Multicast  Service  (MBMS)  in  the  Radio  Access  Network  (RAN):  Stage  23GPP）で定義されているマルチメディアブロードキャストマルチキャストサービスにおいて、無線網制御装置に対して移動機からMBMS  Selected  Services情報を通知する動作が規定されている。この際に、移動機は無線網制御装置がMBMS  Common  Control  Channel  （以下、MCCH）で通知しているサービスのみを対象にMBMS  Selected  Services情報を生成し通知することとなっている。【０００３】
図１は、移動機５１が無線網制御装置５３にMBMS  Selected  Services情報を通知する手順を示す図であり、以下にその手順について図１を参照して説明する。
１．コアネットワーク５４からのMBMS  Session  Start要求Ｓ５１を無線網制御装置５３が受信する。
２．無線網制御装置５３がノード５２（Node-B）を介して移動機５１へMBMS  service  session  情報Ｓ５２を通知する。
３．移動機５１が通知されたMBMS  service  session情報Ｓ５２をもとに、通知されたMBMS  Serviceが移動機５１の選択しているMBMS  Serviceである旨をMBMS  Selected  Services情報Ｓ５３としてノード５２を介して無線網制御装置５３に伝える。無線網制御装置５３ではMBMS  Selected  Services情報Ｓ５３に基づいて無線資源を管理する。【０００４】
尚、MBMS  Selected  Services情報Ｓ５３とは、移動機５１が興味を持っているMBMS  Broadcast  modeのMBMS  Serviceの中で、選択する場合にはその旨をUTRANへ伝えることが要求されているMBMS  Service（以下、MBMS  Enhanced  Broadcast  Service）のリストのことである。
【非特許文献１】3GPP技術仕様書  TS25.331  version  6.12.0  Radio  Resource  Control  (RRC):  Protocol  specification
【非特許文献２】3GPP技術仕様書  TS25.346  version  6.9.1  Introduction  of  the  Multimedia  Broadcast/Multicast  Service  (MBMS)  in  the  Radio  Access  Network(RAN):  Stage  2
【発明の開示】
【発明が解決しようとする課題】
【０００５】
図１に示した方式では以下の問題がある。【０００６】
１．無線網制御装置５３は、MBMS  Enhanced  Broadcast  ServiceのためのMBMS  Session  Startをコアネットワーク５４より要求された直後には該当サービスを選択している端末の数や端末の分布状況についての情報が無いため、データ送信開始のための最適化された無線資源管理（たとえば適切なBearer  typeの選択等）を行うことが出来ない。該当サービスを選択している移動機群の数、そして、分布状況に応じた無線資源管理が行えるようになるのは無線網制御装置５３が該当サービスをMCCHでサービス受信端末に通知し、サービス受信端末から該当サービスが選択されているサービスである旨を伝えられた後である。これは無線網制御装置５３の実装でサービスデータ送信の遅延の原因となったり、移動機５１の状況に応じていない無線資源での暫定的なサービスデータ送信を強要する。【０００７】
２．同一のMBMS  Enhanced  Broadcast  Serviceを選択している移動機群は、そのMBMS  Enhanced  Broadcast  ServiceがMCCHで通知され始めた時に一斉に無線網制御装置５３に対してMBMS  Selected  Services情報を送信しようと試みる。その為、サービスデータ送信開始時にUplinkで輻輳が生じる可能性が高い。【０００８】
本発明は上述したような問題点に鑑みてなされたものであって、輻輳が生じる可能性を低減するとともに、MBMS  broadcast  serviceのセッション開始時に適切な無線資源管理行うことのできるマルチメディアブロードキャストマルチキャストサービスにおける選択サービスの通知システムおよび方法を実現することを目的とする。
【課題を解決するための手段】
【０００９】
本発明は、3GPPで標準化されているMultimedia  Broadcast  Multicast  Serviceにおいて、移動機が受信を希望するブロードキャストサービス（MBMS  Selected  Services）情報を従来よりも早い段階で無線網制御装置に通知することで、該当するブロードキャストサービスのデータ送信開始を適切な無線資源管理を従来よりも短い時間で行うことをサービス開始によるUplinkの輻輳なく実現できるようにしたことを特徴とするもので、本発明によるシステムは以下の通りである。【００１０】
3GPPで標準化されているマルチメディアブロードキャストマルチキャストサービスにおける選択サービスの通知システムであって、
興味があるMBMS  Selected  Services情報が利用可能である場合に、そのMBMS  Selected  Services情報を通知する移動機と、
前記移動機よりMBMS  Selected  Services情報を受信するとこれを記憶し、該当するMBMS  Serviceの無線資源管理に用いる無線網制御装置とを有する。【００１１】
本発明では、上記手順１．“コアネットワークからMBMS  Session  Start要求を受ける“と、手順２．”無線網制御装置から移動機にサービスのsession情報を通知する“を省略し、移動機の上位レイヤーがMBMSの中の選択するserviceを決定した後に、移動機がMBMS  Selected  Services情報を無線網制御装置へ通知するようにすることで上述した問題を解決する。【００１２】
本発明は以上説明したように構成されているので、以下に記載するような効果を奏する。【００１３】
第１の効果は移動機が選択しているMBMSサービスを事前に通知しているので、無線網制御装置がサービスセッション開始直後に無線資源管理を適切に実行できることである。【００１４】
第２の効果は各移動機の選択しているサービスの通知のタイミングは分散しているので、サービスセッション開始時のUplinkの輻輳を防ぐことができることである。
【図面の簡単な説明】
【００１５】
【図１】MBMS  Selected  Services情報を通知する手順を示す図である。
【図２】本発明による一実施形態の構成を示すブロック図である。
【図３】図２に示した実施形態の移動機１のMBMS  Selected  Services情報の通知動作を示すシーケンス図である。
【図４】図２に示した実施形態の移動機１のMBMS  Selected  Services情報の変更通知動作を示すシーケンス図である。
【図５】本発明による一実施形態の構成を示すブロック図である。
【図６】本発明の他の実施形態の動作を示すシーケンス図である。
【図７】本発明の他の実施形態の動作を示すシーケンス図である。
【図８】本発明の他の実施形態の動作を示すシーケンス図である。
【図９】本発明の他の実施形態の動作を示すシーケンス図である。
【符号の説明】
【００１６】
１    移動機
２    ノード
３    無線網制御装置
４    コアネットワーク
【発明を実施するための最良の形態】
【００１７】
次に、本発明の実施形態について図面を参照して説明する。【００１８】
実施形態１
図２は本発明による一実施形態の構成を示すブロック図である。本実施形態は、移動機１、ノード（Node-B）２、無線網制御装置３およびコアネットワーク４より構成されている。【００１９】
本実施形態における移動機１は無線網制御装置3からのMBMS  serviceのSession情報通知を待つこと無く、MBMS  Selected  Services情報Ｓ１１をノード２を介して無線網制御装置３に通知する。このことにより、同じMBMS  Enhanced  Broadcast  Serviceを選択している移動機が数多く存在する場合でも、各移動機のMBMS  Selected  Services情報を通知するタイミングはMBMS  のSession  Startと独立して行われることになるため、コアネットワーク４へのUplinkの輻輳の懸念が無くなる。【００２０】
図３は、移動機１のMBMS  Selected  Services情報の通知動作を示すシーケンス図である。【００２１】
移動機１のユーザーが移動機１の電源を投入すると、移動機１は興味があるMBMS  Services選択（MBMS  Selected  Services）情報が利用可能であるかを確認する。興味があるMBMS  Services選択情報が利用可能になると、移動機１はそのMBMS  Selected  Services情報を無線網制御装置３に通知する。無線網制御装置３は受信したMBMS  Selected  Services情報を記憶し、該当するMBMS  Serviceの無線資源管理に用いる。【００２２】
図４は、移動機１のMBMS  Selected  Services情報の変更通知動作を示すシーケンス図である。【００２３】
移動機１のユーザーが選択していたMBMSサービスの変更を行った後、移動機１は直ちにその更新されたMBMS  Selected  Services情報を無線網制御装置３に通知する。無線網制御装置３は受信したMBMS  Selected  Services情報を新たに記憶し、該当するMBMS  Serviceの無線資源管理に用いる。【００２４】
図３および図４に示すように、MBMS  Selected  Services情報の通知、MBMS  Selected  Services情報の変更通知のいずれもがMBMS  のSession  Startと独立して行われることになるため、これらの通知によりUplinkが輻輳となることはない。【００２５】
図５は、図３や図４に示したシーケンスが行われた後の、MBMS  Service  Sessionを開始する際の本実施形態の情報通知動作を示すブロック図である。【００２６】
無線網制御装置３はMBMS  Service  Sessionのための無線資源管理をMBMS  Session  Start要求を受けた直後に行う。【００２７】
無線網制御装置３はコアネットワーク４よりMBMS  Session  Start要求Ｓ２１を受けると、すぐに、ノード２を介して移動機１へMBMS  service  session  情報Ｓ１２を通知する。このとき、あらかじめ移動機１から通知されているMBMS  Selected  Services情報をもとにSessionが開始されたMBMS  Serviceを選択している移動機の数と分布状況に応じた無線資源管理（例えば、最適なbearer  typeの選択）を行うことが可能となる。【００２８】
本実施形態では、ノードと無線資源制御装置を統合した装置で図1および図4におけるノード2と無線網制御装置3を置き換えることも可能である。【００２９】
なお、図２および図５中のノード２（Node-B）は当業者にとってよく知られており、また、本発明とは直接関係しないので、その詳細な構成は省略する。【００３０】
実施形態２
本発明の他の実施形態について説明する。本実施形態の基本的構成は実施形態１と同様であるが、無線網制御装置３のMBMS機能サポート情報の扱いについてさらに工夫している。【００３１】
図６は本実施形態の動作を示すシーケンス図である。図６に示されるように、本実施形態において、移動機１は無線網制御装置３からの報知情報、例えば、3GPP技術仕様書  TS25.331  version  6.12.0  Radio  Resource  Control  (RRC):  Protocol  specificationでSystem  Informationとして定義されているような情報を受信した時に、無線網制御装置３（網側）がMBMS機能をサポートしているか確認をして、サポートしている場合にのみMBMS  Selected  Services情報を無線網制御装置３に通知する。【００３２】
移動機１からのMBMS  Selected  Services情報を受信した無線網制御装置３はこれを保存する。【００３３】
同様に、移動機１が無線網制御装置３間を移動した際に、移動機１の制御を行っている最新の無線網制御装置３のMBMS機能のサポート状況を確認してMBMS  Selected  Services情報を送信するべきかを判断する。【００３４】
本実施形態において、無線網制御装置３によるMBMS機能サポート情報は、報知情報ではなく他の情報伝達方式で移動機１に通知されても良い。例えば、図７に示すように、無線網制御装置３が移動機１に対して上記の技術仕様書で定められているRRC  DCCHメッセージまたはRRC  CCCHメッセージを用いて、MBMSをサポートしている旨を通知し、これを受信した移動機１が無線網制御装置３（網側）がMBMS機能をサポートしているか確認をして、サポートしている場合にのみMBMS  Selected  Services情報を無線網制御装置３に通知することとしてもよい。【００３５】
ここで、RRC  DCCHメッセージとは例えばRADIO  BEARER  SETUP,  RADIO  BEARER  RELEASE,  RADIO  BEARER  RECONFIGURATION,  TRANSPORT  CHANNEL  RECONFIGURATION,  PHYSICAL  CHANNEL  RECONFIGURATION,  ACTIVE  SET  UPDATE,または  CELL  UPDATE  CONFIRMメッセージ等を指し示している。またRRC  CCCHメッセージとは例えば  RRC  CONNECTION  SETUP、またはCELL  UPDATE  CONFIRM-CCCHメッセージ等を指し示している。【００３６】
本実施形態において、RRC  DCCH  メッセージもしくはRRC  CCCHメッセージで通知するMBMS機能サポート情報は各Radio  LinkもしくはCell毎のMBMS機能サポート情報を通知することとしてもよい。【００３７】
本実施形態における、RRC  DCCHメッセージまたはRRC  CCCHメッセージを用いたMBMS機能情報を移動機が受信して動作を決定することは、3GPPの技術仕様書  TS25.331の8.7.6.2章に以下の動作を記述することで実現可能となる。
A  UE  entering  CELL_DCH  shall  initiate  the  MBMS  modification  request  procedure  in  the  following  cases:
1>      if  the  UE  has  any  MBMS  Selected  Service;  and
1>      if  one  of  the  radio  links  in  the  active  set  indicates  the  MBMS  capable  cell.
A  UE  completing  an  RRC  Connection  Setup  procedure  and  entering  CELL_DCH  shall  initiate  the  MBMS  modification  request  procedure  in  the  following  cases:
1>      if  the  UE  has  any  MBMS  Selected  Service;  and
1>      if  one  of  the  radio  links  in  the  active  set  indicates  the  MBMS  capable  cell.
上記のように、本実施形態では、移動機が無線網制御装置のMBMS機能サポート状況を確認しているので、MBMS機能をサポートしていない無線網制御装置が無駄な情報を受信することがなく、その分、輻輳となることを防止することができるという効果が得られる。【００３８】
実施形態３
本発明の他の実施形態について説明する。本実施形態の基本的構成は実施形態１と同様であるが、移動機１がRAT  (Radio  Access  Technology)間を移動した際のMBMS  Selected  Services情報の扱いについて工夫している。【００３９】
図８は本実施形態の動作を示すシーケンス図である。図８に示されるように、本実施形態において、移動機１は無線網制御装置３からのRAT変更要求（例えば3GPP  で定められているinter  RAT  handover  to  UTRAN,  handover  from  GERAN  Iu  mode等）に基づく手続きが成功した後に、移動機１は、MBMS  Selected  Services情報を移動機１の制御を行っている無線網制御装置３に通知する。【００４０】
本実施形態は、3GPPの技術仕様書  TS25.331の8.7.6.2章に以下の動作を記述することで実現可能となる。【００４１】
A  UE  completing  an  inter  RAT  handover  to  UTRAN  or  handover  from  GERAN  Iu  mode  procedure  shall  initiate  the  MBMS  modification  request  procedure  in  the  following  case:
1>      if  the  UE  has  any  MBMS  Selected  Service
本実施形態において、RAT変更手続き中に3GPP  TS25.331で定められているHANDOVER  TO  UTRAN  COMMANDメッセージ、またはRADIO  BEARER  RECONFIGURATION  メッセージを用いて移動機１に対して網側がMBMSをサポートしている旨を通知し、移動機１は網側がサポートして場合にのみMBMS  Selected  Services情報を通知することも可能である。その場合、3GPPの技術仕様書  TS25.331の8.7.6.2章に以下の動作を記述することで実現可能となる。【００４２】
A  UE  completing  an  inter  RAT  handover  to  UTRAN  or  handover  from  GERAN  Iu  mode  procedure  shall  initiate  the  MBMS  modification  request  procedure  in  the  following  cases:
1>      if  the  UE  has  any  MBMS  Selected  Service;  and
1>      one  of  the  radio  links  in  the  active  set  indicates  the  MBMS  capable  cell.
本実施形態において、HANDOVER  TO  UTRAN  COMMAND  メッセージもしくはRADIOBEARER  RECONFIGURATIONメッセージで通知するMBMS機能サポート情報はRadio  LinkもしくはCell毎のMBMS機能サポート情報を通知することとしてもよい。もしくは、図９で示されるようにHANDOVER  TO  UTRAN  COMMAND  メッセージまたRADIO  BEARER  RECONFIGURATION  メッセージを用いて無線網制御装置のMBMS機能サポート情報と共に無線網制御装置で現在開始されているMBMS  Serviceの識別子を移動機に通知することとしても良い。その場合、3GPPの技術仕様書  TS25.331の8.2.2.3a章と8.3.6.3章に以下の動作を記述することで実現可能となる。
1>  if  the  IE  “MBMS  Services  information”  is  present;  and  
1>  if  the  UE  has  any  MBMS  Selected  Service:
2>  initiate  MBMS  modification  request  procedure  as  specified  in  subclause  8.6.7.2.
上記のように、本実施形態では、移動機がRAT変更後に直ちに無線網制御装置にMBMS  Selected  Services情報を通知することにより無線網管理装置が最新の情報を基に無線資源管理を行えるようになる効果が得られる。【００４３】
以上、実施形態を参照して本願発明を説明したが、本願発明は上記実施形態に限定されるものではない。本願発明の構成や詳細には、本願発明のスコープ内で当業者が理解し得る様々な変更をすることができる。【００４４】
この出願は２００７年１月１９日に出願された日本出願特願２００７−０１０３５０号を基礎とする優先権を主張し、その開示の全てをここに取り込む。
【図１】
2008088024.tif 000003
【図２】
2008088024.tif 000004
【図３】
2008088024.tif 000005
【図４】
2008088024.tif 000006
【図５】
2008088024.tif 000007
【図６】
2008088024.tif 000008
【図７】
2008088024.tif 000009
【図８】
2008088024.tif 000010
【図９】
2008088024.tif 000011
【国際調査報告】
2008088024.tif 000012
2008088024.tif 000013
2008088024.tif 000014
2008088024.tif 000015
2008088024.tif 000016
2008088024.tif 000017